【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
押下操作を受け付けるキースイッチを備えるキー入力装置であって、
前記キースイッチを振動させる振動機構を備え、
前記振動機構は、
前記キースイッチが配設される天板と、
前記天板を下方から支持する支持台と、
前記支持台上に、前記天板を振動可能に保持する保持部材と
を備え、
前記天板及び支持台のうちの一方には、永久磁石が配設されており、
前記天板及び支持台のうちの他方には、電磁石が配設されている
ことを特徴とするキー入力装置。
【請求項２】
請求項１に記載のキー入力装置であって、
前記電磁石は、交流電流の通電に基づく前記永久磁石への作用により前記天板を振動させる電磁石として機能するコイルである
ことを特徴とするキー入力装置。
【請求項３】
請求項１又は請求項２に記載のキー入力装置であって、
前記支持台は、前記天板の側方に立設された側板を有し、
前記保持部材は、前記支持台の側板から前記天板の側部に架橋する弾性体である
ことを特徴とするキー入力装置。
【請求項４】
請求項１又は請求項２に記載のキー入力装置であって、
前記保持部材は、前記天板又は支持台のうちの一方に固定された軸状体であり、
前記天板又は支持台のうちの他方は、前記軸状体を軸方向に移動可能に保持する
ことを特徴とするキー入力装置。
【請求項５】
請求項１又は請求項２に記載のキー入力装置であって、
前記保持部材は、球状体であり、
前記支持台は、前記球状体が遊嵌する支持台側受部が形成されており、
前記天板は、前記球状体が遊嵌する天板側受部が形成されており、
前記球状体は、対向して配置された支持台側受部及び天板側受部の間に介装される
ことを特徴とするキー入力装置。
【請求項６】
請求項１又は請求項２に記載のキー入力装置であって、
前記保持部材は、円柱状をなす軸状体であり、
前記支持台は、前記軸状体が遊嵌する支持台側受部が形成されており、
前記天板は、前記軸状体が遊嵌する天板側受部が形成されており、
前記軸状体は、対向して配置された支持台側受部及び天板側受部の間に介装される
ことを特徴とするキー入力装置。
【請求項７】
請求項１又は請求項２に記載のキー入力装置であって、
前記保持部材は、弾性体であり、
前記弾性体は、支持台上に配設されており、
前記天板は、前記弾性体上に配設されている
ことを特徴とするキー入力装置。
【請求項８】
請求項７に記載のキー入力装置であって、
前記弾性体は、
前記保持部材及び前記天板の間に介装される弾性部と、
前記保持部材及び前記天板の間に介装される剛体部と
を有する
ことを特徴とするキー入力装置。
【請求項９】
請求項８に記載のキー入力装置であって、
前記弾性体の剛体部は、
柱状をなし、
前記弾性部の上下方向に開設された貫通孔を貫通している
ことを特徴とするキー入力装置。
【請求項１０】
請求項８に記載のキー入力装置であって、
前記弾性体は、角柱状をなし、
前記弾性体の剛体部は、
板状をなし、
振動方向が面方向となる配設方向で、前記弾性部に両面を挟持されて配設されている
ことを特徴とするキー入力装置。
【請求項１１】
請求項１又は請求項２に記載のキー入力装置であって、
前記保持部材は、振動方向に可撓性を有する板バネであり、
前記板バネは、支持台上に配設されており、
前記天板は、前記板バネ上に配設されている
ことを特徴とするキー入力装置。
【請求項１２】
請求項１１に記載のキー入力装置であって、
前記板バネは、
長尺状をなし、
長手方向が振動方向に直交するように配設され、
振動方向に並べて複数配設されている
ことを特徴とするキー入力装置。
【請求項１３】
請求項１１に記載のキー入力装置であって、
前記板バネは、
振動方向に直交する方向に沿って、複数配列されており、
振動方向に沿って、複数配列されている
ことを特徴とするキー入力装置。
【請求項１４】
請求項１又は請求項２に記載のキー入力装置であって、
前記支持台は、前記天板より上方に位置する架橋部を有し、
前記保持部材は、前記支持台の架橋部から下方の前記天板をそれぞれ揺動自在に支持する複数のリンク部材である
ことを特徴とするキー入力装置。
【請求項１５】
請求項１又は請求項２に記載のキー入力装置であって、
前記保持部材は、前記天板を前記支持台上にそれぞれ揺動自在に支持する複数のリンク部材である
ことを特徴とするキー入力装置。
【請求項１６】
請求項１４又は請求項１５に記載のキー入力装置であって、
前記リンク部材は、回転対偶にて前記天板を支持している
ことを特徴とするキー入力装置。
【請求項１７】
請求項１４又は請求項１５に記載のキー入力装置であって、
前記リンク部材は、
長尺状をなす板状体であり、
長手方向が振動方向に直交するように配設され、
振動方向に並べて複数配設されている
ことを特徴とするキー入力装置。
【請求項１８】
請求項１又は請求項２に記載のキー入力装置であって、
前記保持部材は、揺動支点となる支点部を有し、
前記支持台は、前記保持部材の支点部を揺動自在に軸支するようにしてあり、
前記保持部材に保持された前記天板は、前記保持部材の支点部による一の揺動軸を揺動中心として揺動する
ことを特徴とするキー入力装置。
【請求項１９】
請求項１乃至請求項１８のいずれか１項に記載のキー入力装置であって、
前記電磁石は、前記支持台に下部電磁石として固定されており、
前記永久磁石は、前記下部電磁石の上方に間隙を空けて配設されており、
前記永久磁石の上方に間隙を空けて固定された上部電磁石を備える
ことを特徴とするキー入力装置。
【請求項２０】
請求項１乃至請求項１８のいずれか１項に記載のキー入力装置であって、
前記永久磁石は、前記支持台に下部永久磁石として固定されており、
前記電磁石は、前記下部永久磁石の上方に間隙を空けて配設されており、
前記電磁石の上方に間隙を空けて固定された上部永久磁石を備える
ことを特徴とするキー入力装置。
【請求項２１】
請求項１乃至請求項２０のいずれか１項に記載のキー入力装置であって、
前記天板は、
長方形状をなし、
振動方向は、長辺又は短辺に平行な方向である
ことを特徴とするキー入力装置。
【請求項２２】
請求項１乃至請求項２１のいずれか１項に記載のキー入力装置であって、
前記永久磁石及び電磁石を組とする振動部を複数組備える
ことを特徴とするキー入力装置。
【請求項２３】
請求項２２に記載にキー入力装置であって、
前記振動部毎に振動又は停止の制御が可能である
ことを特徴とするキー入力装置。
【請求項２４】
請求項１乃至請求項２３のいずれか１項に記載のキー入力装置であって、
前記キースイッチの押下操作を検出する検出部と、
前記天板の振動を制御する振動制御部と
を備え、
前記振動制御部は、前記検出部が押下操作を検出した場合に、前記天板が振動するように制御する
ことを特徴とするキー入力装置。
【請求項２５】
請求項２４に記載のキー入力装置であって、
前記振動制御部による振動を示す振動パターンの設定は、変更可能である
ことを特徴とするキー入力装置。
【請求項２６】
請求項２４又は請求項２５に記載のキー入力装置であって、
音を出力する音出力部を備え、
前記音出力部は、前記検出部が押下操作を検出した場合に、音を出力する
ことを特徴とするキー入力装置。
【請求項２７】
請求項２６に記載のキー入力装置であって、
前記音出力部が出力する音は変更可能である
ことを特徴とするキー入力装置。
【請求項２８】
請求項１乃至請求項２７のいずれかＩ項に記載のキー入力装置であって、
マウスであることを特徴とするキー入力装置。